(57)【要約】【課題】  幕板の開閉操作が容易であり、遊技機島のレイアウト上生じる場合がある隣り合う幕板同士の開閉動作時の干渉を避けることができるとともに、遊技機島のレイアウトの変更に伴う幕板の加工や組み立ての費用および作業時間の増加を抑制できる幕板取付構造を提供する。【解決手段】本発明は、遊技機を載置する遊技機島の上部枠に幕板を取り付ける幕板取付構造であって、前記上部枠の前面側の枠材に、前記幕板を平行移動させて開閉自在に支持する支持材を取り付けることを特徴とする、幕板取付構造である。【選択図】図５
2015047190.tif 000002
【特許請求の範囲】
【請求項１】
遊技機を載置する遊技機島の上部枠に幕板を取り付ける幕板取付構造であって、
前記上部枠の前面側の枠材に、前記幕板を平行移動させて開閉自在に支持する支持材を取り付けることを特徴とする、
幕板取付構造。
【請求項２】
前記支持材は前記上部枠の左右端の縦材に取り付けられ、前記幕板を上下方向にスライド移動可能であることを特徴とする、
請求項１に記載の幕板取付構造。
【請求項３】
前記支持材は、前記幕板を移動方向の複数の位置で停止可能であることを特徴とする、
請求項１または請求項２に記載の幕板取付構造。
【請求項４】
前記支持材は、前記幕板を移動方向の少なくとも一方に移動する際に機能する緩衝機構を備えることを特徴とする、
請求項１から請求項３のいずれかに記載の幕板取付構造。
【請求項５】
前記幕板は、少なくとも前記上部枠との対向面が前記遊技機島の長手方向において平面状であることを特徴とする、
請求項１から請求項４のいずれかに記載の幕板取付構造。
【請求項６】
前記上部枠の横材は、前記遊技機島の長手方向において直線状または平面状であることを特徴とする、
請求項５に記載の幕板取付構造。
【請求項７】
請求項１から請求項６のいずれかに記載の幕板取付構造を備える遊技機島であって、
前記遊技機島は、長手方向において湾曲または屈曲するように配列されることを特徴とする遊技機島。
【発明の詳細な説明】
【技術分野】
【０００１】
本発明は、パチンコ機などの遊技機を列設して支持する遊技機島の上部枠に幕板を取り付ける、幕板取付構造およびそれを備える遊技機島に関する。
【背景技術】
【０００２】
遊技店には、パチンコ機等の遊技機を複数列設するように支持した遊技機島が設置されている。そして遊技機島の上部には、蝶番によって固定され、該蝶番の軸芯を中心とした回動動作によって開閉自在となる幕板が取り付けられている（例えば、特許文献１参照）。
【０００３】
例えば、特許文献１には、幕板の上部を蝶番によって遊技機島の鴨居に取り付け、蝶番の軸芯を中心とした回動動作によって開閉自在とするとともに、幕板を開いた場合に水平方向にスライド移動を可能とした技術が開示されている。
【０００４】
また、近年では、遊技店内における遊技機の配置に変化を持たせるため、遊技機（遊技機の前面）の並びが長手方向に横一列の平面状（直線状）ではなく、湾曲面状（曲線状）となるように遊技機を支持できる遊技機島が開発されている。そしてこのような遊技機島においては、遊技機島の上部に取り付けられる幕板も湾曲形状に構成されている（例えば、特許文献２参照）。
【０００５】
例えば、特許文献１には、遊技機が曲線に沿って配列される遊技機島（以下、これをＲ島という場合がある）において、湾曲形状の幕板の上部を幕板開閉用蝶番で遊技機島に固定し、該蝶番の軸芯を中心とした回動動作によって幕板を開閉自在に取り付ける技術が開示されている。
【先行技術文献】
【特許文献】
【０００６】
【特許文献１】実開昭６３−１９５８８９号公報
【特許文献２】特許第５０６０１０７号公報
【発明の概要】
【発明が解決しようとする課題】
【０００７】
しかしながら、上記の特許文献１に記載のように、幕板の上部に取り付けた蝶番を軸として幕板を回動動作によって開閉する構成の場合、開放した幕板は、遊技機島の最上端部に位置する。したがって、幕板の開閉操作を行う操作者（遊技店の店員）が女性など小柄な者の場合には、開放した幕板に手が届きにくく、踏み台が必要になるなど、幕板の容易かつ安全な開閉動作が行いにくいという問題点があった。
【０００８】
また、特許文献２に記載のように遊技機島が長手方向に湾曲(または屈曲)して配置される構成において、遊技機の背面側が対向するように２列に配列する場合、曲率が大きくなる、あるいは遊技機前面側が１８０度より小さい角度で向き合うように配置される内（周）側では、回動動作によって開閉する隣り合う幕板同士が干渉する場合がある。したがって、レイアウトする上でこれらが干渉しないように、遊技機の載置に必要な領域よりも十分に広い幅を確保しなければならない場合もあり、無駄なスペースが生じる問題もあった。
【０００９】
さらには、遊技機島が湾曲形状となる場合、その湾曲に合わせて幕板も湾曲して成形する必要があり、平板状の幕板を用いる場合と比較して、部品の加工費用や加工時間、あるいは湾曲した複数の部品の組み立ての時間が掛かってしまう。また、遊技機島の湾曲形状（その曲率）を変更する場合には、その湾曲に合わせて幕板も作成（成形）し直さなければならず、レイアウト変更も困難となる。
【００１０】
本発明は、このような従来の課題を解決するためになされたものであって、幕板の開閉操作が容易であり、遊技機島のレイアウト上生じる場合がある隣り合う幕板同士の開閉動作時の干渉を避けることができるとともに、遊技機島のレイアウトを変更に伴う幕板の加工や組み立ての費用および作業時間の増加を抑制できる幕板取付構造およびそれを備える遊技機島を提供することを目的とする。
【課題を解決するための手段】
【００１１】
本発明に係る幕板取付構造は、遊技機を載置する遊技機島の上部枠に幕板を取り付ける幕板取付構造であって、前記上部枠の前面側の枠材に、前記幕板を平行移動させて開閉自在に支持する支持材を取り付けることを特徴とするものである。
【発明の効果】
【００１２】
本発明に係る幕板取付構造およびそれを備える遊技機島によれば、幕板の開閉操作が容易であり、遊技機島のレイアウト上生じる場合がある隣り合う幕板同士の開閉動作時の干渉を避けることができるとともに、遊技機島のレイアウト変更に伴う幕板の加工や組み立ての費用および作業時間の増加を抑制できるという優れた効果を奏し得る。
【図面の簡単な説明】
【００１３】
【図１】（ａ）本実施形態に係る幕板取付構造を備える遊技機島の概要を示す外観図である。（ｂ）同図（ａ）の遊技機島の上面図である。
【図２】（ａ）本実施形態に係る遊技機島の正面図である。（ｂ）同図（ａ）の遊技機島の背面図である。
【図３】本実施形態に係る遊技機島の柱構造を説明する正面図である。（ｂ）中島の柱の設置状態を示す上面図である。
【図４】（ａ）本実施形態に係る遊技機島の柱の正面図である。（ｂ）〜（ｄ）同柱の上面図である。
【図５】（ａ）本実施形態に係る幕板取付構造を説明するための上部ユニットの正面図である。（ｂ）同上部ユニットの側面図である。（ｃ）同上部ユニットの正面図である。（ｄ）同上部ユニットの側面図である。
【図６】（ａ）従来技術の幕板取付構造を説明するための遊技機島の上面図である。（ｂ）本実施形態に係る幕板取付構造を説明するための遊技機島の上面図である。
【図７】本実施形態に係る幕板取付構造の他の形態を示す図であり、（ａ）上部ユニットの正面図であり、（ｂ）上部ユニットの正面図であり、（ｃ）上部ユニットの側面図であり、（ｄ）上部ユニットの正面図であり、（ｅ）上部ユニットの上面図である。
【発明を実施するための形態】
【００１４】
以下、図面を用いて、本発明の実施形態に係る幕板取付構造およびそれを備える遊技機島について詳細に説明する。
【００１５】
＜遊技機島＞
図１を用いて、本実施形態に係る幕板取付構造を採用した遊技機島１０について説明する。なお、図１は、遊技店内において遊技機を支持する遊技機島１０の概略図であり、図１（ａ）が外観図であり、図１（ｂ）が上面図である。
【００１６】
図１に示すように、本実施形態の遊技機島１０は、遊技機Ｍを載置する複数の遊技機島ユニット１２が隣接して配列されたものであり、遊技機Ｍを略曲線状に配列することが可能な遊技機島（Ｒ島）である。なお、ここでは、湾曲した一部分の遊技機島１０を示しているが、同等の曲率を維持しつつ遊技機島ユニット１２の配列を長手方向Ｌに増加させ、あるいは、湾曲方向が交互になるように配列させることで、半円弧状や、略Ｓ字状を描くような遊技機島１０を構成することができる。
【００１７】
遊技機島１０は、通常、同図に示すように２列に配置して構成される。つまり、複数の遊技機島ユニット１２の一部によって第１の遊技機島ユニット列１２Ａが構成され、複数の遊技機島ユニット１２の他の一部により第２の遊技機島ユニット列１２Ｂが構成されており、第１の遊技機島ユニット列１２Ａと第２の遊技機島ユニット列１２Ｂとは載置する遊技機Ｍが背面対向（背向）するように、短手方向Ｓにおいて隣り合って配置されている。遊技者Ｕは、遊技機島１０の内周側と外周側において、それぞれ遊技機Ｍを操作する。以下の説明においては、同図に示すように遊技機Ｍを背面対向させて（背向させて）遊技機島ユニット列を２列に配置し、遊技場の中程部分に配設する遊技機島１０を中島といい、遊技場の壁際に遊技機Ｍを一列に配置して構成する遊技機島１０を壁島という。本実施形態の遊技機島１０は、中島および壁島の何れにも適用可能であるが、以下の説明では、中島の場合を例に説明する。
【００１８】
＜遊技機島ユニット＞
図２を参照して、図１に示す遊技機島ユニット１２の一例について説明する。同図（ａ）は、１つの遊技機島ユニット１２、および複数の遊技機島ユニット１２を連結した状態を示す正面図であり、同図（ｂ）は、同図（ａ）の背面図である。
【００１９】
遊技機島ユニット１２は、遊技機島１０における遊技機Ｍの載置領域の１単位であり、例えば、２本の柱１４（第１の柱１４Ａ、第２の柱１４Ｂ）と、複数の蝶番１６（第１の蝶番１６Ａ、第２の蝶番１６Ｂ、第３の蝶番１６Ｃ，第４の蝶番１６Ｄ）と、上部ユニット１８と、下部ユニット２０と、を有する。そして、第１の柱１４Ａ、第２の柱１４Ｂ、上部ユニット１８および下部ユニット２０によって区画された領域が、遊技機Ｍの載置領域となる。つまり上部ユニット１８は遊技機Ｍの載置領域の上方に配置され、下部ユニット２０は遊技機Ｍの載置領域の下方に配置される。ここでは一例として、１つの遊技機島ユニット１２に１つの遊技機Ｍを載置する場合を例に説明するが、１つの遊技機島ユニット１２に複数の遊技機Ｍを載置するものであってもよい。
【００２０】
＜上部ユニット＞
上部ユニット１８は、遊技機島ユニット１２の上部に設けられた枠部材（上部枠）を少なくとも含んで構成されている。上部枠は第１の柱１４Ａと第２の柱１４Ｂの上方に固定され、ここでは例えば、第１の横材（天板）１８０と、第２の横材（棚天板）１８２と、第３の横材（棚地板）１８４と、左右の縦材１８６を有する。そして上部枠の前面側には、幕板３０などが設けられる。
【００２１】
天板１８０は縦材１８６の上端に、棚天板１８２は、縦材１８６の中段に、棚地板１８４は縦材１８６の下端に位置するように固定されている。左右の縦材１８６の背面側には、柱１４の起立方向に沿って連続する位置決め溝１９４が設けられている。位置決め溝１９４については、後述する。また、棚天板１８２と棚地板１８４の前面側には、これらに挟まれた空間を覆うように前面板１９０が設けられている（同図（ａ））。更に、天板１８０と棚天板１８２の前面側には、これらに挟まれた空間（欄間）を覆うように幕板３０が設けられている。これらの各部材は集成材等からなっている。また、これらの各部材の形状は、遊技機島１０の長手方向Ｌにおいて直線状または平板状である（図１（ｂ）参照）。上部ユニット１８の背面側には、遊技機Ｍに対して遊技媒体を補給する補給樋（不図示）が配置される。
【００２２】
尚、ここでは上部ユニット１８の構成の一例を示すものであり、遊技機島ユニット１２において遊技機Ｍの載置領域の上端側を区画し、またその背面に補給樋が配置可能な構成であれば、図示の構成に限らない。さらにここでは、幕板３０の下方に前面板１９０が設けられる場合を例に説明するが、本実施形態の上部ユニット１８は、少なくとも幕板３０を備える構成であれば同図に示す構成に限らず、例えば前面板１９０が無くてもよく、棚天板１８２または棚地板１８４が天板１８０よりも前方に突出するような構成であってもよい。
【００２３】
＜下部ユニット＞
下部ユニット２０は、腰板２０２、ひな檀ユニット２０４などの横材を含んで構成され、第１の柱１４Ａと第２の柱１４Ｂの下方に固定される。ひな檀ユニット２０４は、柱１４に固定されて遊技機Ｍを載置するひな壇２０８と、ひな壇２０８の前側端部に取り付けられた膳板２０６から構成してある。なお、膳板２０６は、ひな檀２０８に別途取り付けることができるものであり、図２（ａ）以外の図面では膳板２０６の図示を省略している。膳板２０６は、その上に球箱や、遊技者の私物（タバコ、携帯電話、ペットボトルなど）を配置できる。腰板２０２とひな檀ユニット２０４（ひな檀２０８）は、それぞれ柱１４に支持・固定される。腰板２０２およびひな檀ユニット２０４等を構成する部材の形状は、遊技機島１０の長手方向Ｌにおいて直線状または平板状である（図１（ｂ）参照）。なお、ひな檀２０８および膳板２０６は遊技機島１０の上面視において矩形状（角丸矩形状）に切り出された板材等で構成されるが、Ｒ島の場合には、ひな檀２０８および膳板２０６の長手方向Ｌの両端部を斜めに切り落とし、遊技機島１０の上面視において台形状となるように構成してもよい。このようにすることで、長手方向Ｌで隣り合うひな檀ユニット２０４間の離間部分を少なくし、Ｒ島の湾曲に沿わせやすくすることができる。下部ユニット２０の背面側には、遊技機Ｍから排出された遊技媒体を回収する回収樋（不図示）が配置される。尚、ここでは下部ユニット２０の構成の一例を示すものであり、遊技機島ユニット１２において遊技機Ｍの載置領域の下端側を区画し、またその背面に回収樋が配置可能な構成であれば、図示の構成に限らない。
【００２４】
柱１４にはそれぞれ、上方と下方に蝶番１６が取り付けられている。上部ユニット１８と下部ユニット２０はそれぞれ、蝶番１６に固定されている。
【００２５】
＜柱構造＞
図３および図４を参照して、上述の遊技機島１０の柱構造の一例について説明する。図３は、複数本の柱１４を遊技場の床面に固定した状態を示す図であり、同図（ａ）が１つの列の正面図であり、同図（ｂ）が２列配置の（中島の）上面図である。なお、同図（ｂ）においては柱１４のみを示している。また図４は、１本の柱１４の蝶番１６付近を示す図であり、同図（ａ）は正面図、同図（ｂ）〜（ｄ）は上面図である。
【００２６】
図３に示すように、複数の柱（第１の柱１４Ａと第２の柱１４Ｂ）は、それぞれ遊技場床に起立固定され、両者は遊技機島１０の列の長手方向Ｌにおいて離間して配置される。第１の柱１４Ａと第２の柱１４Ｂは、それぞれ、同一構成の棒状（角柱状）の縦柱である。ここでは、説明の便宜上、１つの遊技機島ユニット１２を構成する２本の柱１４を第１の柱１４Ａ、第２の柱１４Ｂと別称しているが、両者を区別する必要が無い場合は柱１４と総称する。
【００２７】
それぞれの柱１４は、遊技機島１０の長手方向Ｌの並びにおいても短手方向Ｓ（遊技機島１０の幅方向）の並びにおいても、互いに直接的に連結されておらず、遊技場床に固定されたベース部材５０にそれぞれ独立して支持・固定される。
【００２８】
柱１４は、金属（例えば、鉄など）の２枚の薄板をそれぞれコの字状に折り曲げて互いに噛合わせた空洞の四角柱であり、上下対称かつ左右対称の形状を有している。そして柱１４にはそれぞれ、上方と下方に蝶番１６が取り付けられている。第１の柱１４Ａは、その下方の第１の面に第１の蝶番１６Ａが固定され、第２の柱１４Ｂは、その下方の第２の面（第１の柱１４Ａに隣り合う面）に第２の蝶番１６Ｂが固定される。また、第１の柱１４Ａは、その上方の第１の面に第３の蝶番１６Ｃが固定され、第２の柱１４Ｂは、その上方の第２の面に第４の蝶番１６Ｄが固定される。第１の蝶番１６Ａ、第２の蝶番１６Ｂ、第３の蝶番１６Ｃおよび第４の蝶番１６Ｄは、それぞれ柱１４の起立方向に長い長蝶番である。柱１４と同様に、ここでは説明の便宜上、第１の蝶番１６Ａ、第２の蝶番１６Ｂ、第３の蝶番１６Ｃおよび第４の蝶番１６Ｄを別称としているが、構成上の差異はなく、これらを区別する必要が無い場合は蝶番１６と総称する。
【００２９】
また、柱１４には、下方の蝶番１６の上端付近に、ひな檀ユニット２０４を支持・固定する膳板支持部材２１０が設けられている。
【００３０】
１つの遊技機島ユニット１２は、２本の柱１４で構成されるが、２つの遊技機島ユニット１２を隣接して配置した場合、これらを結合する柱１４は１本の柱１４が２つの遊技機島ユニット１２で共用される。具体的には、隣接する２つの遊技機島ユニット１２は、３本の柱１４と、２つの上部ユニット１８と、２つの下部ユニット２０と、により構成され、３本の柱１４の中央の柱１４は、２つの遊技機島ユニット１２で共用される。遊技機島１０の長手方向の両端部を除き、各柱１４は、角柱の対向する両側面に、それぞれ蝶番１６が固定されている。
【００３１】
ベース部材５０は、固定部５２と柱受け部５４と支持部５６を有しており、固定部５２が遊技場床に設置されてボルトなどによって固定される。支持部５６は固定部５２から柱１４の起立方向に起立した板部材である。柱受け部５４は、柱１４の下端が挿入されて柱１４を下から保持する。柱受け部５４は、支持部５６に対して高さの微調整が可能となっており、高さを調節した後にボルトなどによって支持部５６に固定される。
【００３２】
図４（ａ）に示すように、蝶番１６は、２つの羽根１６０、１６２を有しており、島端部以外の１本の柱１４においては、下方の第１の面に第１の蝶番１６Ａの一方の羽根１６０が固定され、第２の面（第１の面の対向面）に第２の蝶番１６Ｂの一方の羽根１６０が固定される。また、柱１４の上方の第１の面に第３の蝶番１６Ｃの一方の羽根１６０が固定され、第２の面に第４の蝶番１６Ｄの一方の羽根１６０が固定される。
【００３３】
各蝶番１６は、柱１４に固定されていない他方の羽根１６２に、柱１４の起立方向に並ぶ複数のねじ穴１６４を有する。また、羽根１６２の長手方向の両端（上下端）に、それぞれ、２個の位置決め部１６６を有する。位置決め部は、羽根１６２の主面から突出する突起部である。
【００３４】
また同図（ｂ）〜（ｄ）に示すように、１本の柱１４に固定された４つの蝶番１６の羽根１６２はそれぞれに、所定の開き角度の範囲内で任意の角度で開くことができる。下部ユニット２０の腰板２０２は、その両端部に、位置決め孔２０２Ａが設けられている。位置決め孔２０２Ａは、蝶番１６の羽根１６２に設けられた位置決め部１６６と対応して柱１４の起立方向に沿って上下に２か所ずつ設けられており、腰板２０２の位置決め孔２０２Ａに羽根１６２の位置決め部１６６を嵌合させることで、腰板２０２と蝶番１６（すなわち柱１４）との鉛直方向（取り付け高さ）および水平方向の位置決めと仮止めが可能となる。そして、羽根１６２のねじ穴１６４を介して、腰板２０２と羽根１６２をねじにより固定する。腰板２０２は、このようにして柱１４に固定されるが、この状態で蝶番１６の角度は固定されておらず、当該角度は、蝶番１６に許容される開き角度の範囲内で自在となっている。
【００３５】
また、上部ユニット１８は、遊技機島１０の長手方向Ｌの両端部に縦材１８６を有している。そして縦材１８６には、遊技機島ユニット１２の背面側に、柱１４の起立方向に沿って連続する位置決め溝１８６Ａが設けられている（図２（ｂ）参照）。この位置決め溝１８６Ａに羽根１６２の２か所の位置決め部１６６を嵌合させることで、上部ユニット１８と蝶番１６（すなわち柱１４）との水平方向の位置決め（および仮止め）が可能となる。また、鉛直方向（上部ユニット１８の取り付け高さ）については、遊技機Ｍの高さに合わせて、上部ユニット１８を位置決め溝１８６Ａの長さの範囲内で上下にスライドさせて位置決めを行う。位置決め溝１８６Ａは連続して形成されているので、遊技機Ｍの高さが異なる場合であっても、遊技機Ｍの高さに応じた適切な高さに位置決めすることができる。そして、羽根１６２のねじ穴１６４を介して、縦材１８６と羽根１６２をねじにより固定する。上部ユニット１８は、このようにして柱１４に固定されるが、この状態で蝶番１６の角度は固定されておらず、当該角度は、蝶番１６に許容される開き角度の範囲内で自在となっている。
【００３６】
つまり、２つの遊技機島ユニット１２を隣合せで配置する場合には、３本の柱１４のうち中央の柱１４に対して、２つの遊技機島ユニット１２の回転角度をそれぞれ選択することができる。上面視において、中央の柱１４を中心として、２つの遊技機島ユニット１２（上部ユニット１８および下部ユニット２０）でなす角度が１８０度であれば、２つの遊技機島ユニット１２は直線状に配置することができ（図４（ｂ））、２つの遊技機島ユニット１２でなす角度が１８０度以外であれば、これらは互いに屈曲して配置することができる（図４（ｃ）（ｄ））。
【００３７】
このようにして複数の遊技機島ユニット１２を所定の角度で互いに屈曲して配置することにより、上部ユニット１８を構成する横材（天板１８０、棚板１８２，１８４など）、および下部ユニット２０を構成する腰板２０２や、ひな檀ユニット２０４などの横材が、いずれも直線状または平板状であっても、図１および図２に示すように全体として略曲面状の（略湾曲した）、あるいは屈曲した遊技機島１０（Ｒ島）を構成することができる。つまり、直線状に遊技機島１０を構成する場合と湾曲状に遊技機島１０を構成する場合とで、同じ遊技機島ユニット１２を共用することができる。また、Ｒ島１０の屈曲の角度の自由度が高まるため、Ｒ島１０として実質的な範囲の曲率半径に対応でき、柱１４を予め製作し在庫として確保しておくことができる。よって、受注から施工までの期間を短縮することができる。Ｒ島の曲面の曲率半径は、内周側で隣接する遊技機Ｍを利用する遊技者同士が干渉しない最小の曲率半径以上とし、例えば、３ｍ以上、３００ｍ以下である。
【００３８】
また、柱１４の第１の蝶番１６Ａおよび第２の蝶番１６Ｂの上方には、膳板支持部材２１０が溶接などにより固定されている。膳板支持部材２１０は、柱１４または蝶番１６と同一材料などにより構成される。膳板支持部材２１０は、遊技機島１０の正面視において、Ｌ字状（ここでは隣り合うひな檀ユニット２０４に共用とするため、Ｌ字状を背向させた逆Ｔ字状）を呈し、ひな檀ユニット２０４（ひな檀２０８）の長手方向Ｌの両端部分において、ひな檀２０８を下面と側面の２面で支持する。このように、ひな檀ユニット２０４は、長手方向Ｌの両端部を２面で支持されることによって適切な位置に位置決めされ、膳板支持部材２１０に設けられたねじ穴を介してねじ止めされて柱１４に固定される。
【００３９】
図１に示したように、中島の場合には、遊技機島１０の短手方向Ｓにおいて、第１の遊技機島ユニット列１２Ａと第２の遊技機島ユニット列１２Ｂとが隣り合い、遊技機Ｍが背向するように載置される。そして、本実施形態では、柱１４を個々に（１本ずつ）独立して配置することができるので、例えば内側の柱と外側の柱が連結部材により連結された柱（短手方向Ｓの側面視においてＨ字状あるいははしご状の柱）と比較して、柱１４の配置の自由度が高まる。Ｈ字状あるいははしご状の柱の場合、Ｒ島の内側と外側で柱の本数が同数となり、それにより遊技機Ｍの配置できる領域も制約され、遊技機Ｍが配置できない無駄な領域が生じる場合があるが、本実施形態の柱構造によれば、柱１４を自由にレイアウトできるので、Ｒ島を構成した場合に、遊技機島１０の長手方向Ｌの少なくとも一部において、第１の遊技機島ユニット列１２Ａの遊技機島ユニット１２の数（図１（ｂ）では４つ）と、第２の遊技機島ユニット列１２Ｂの遊技機島ユニット１２の数（図１（ｂ）では５つ）とを異なる数にすることができる。これにより、Ｈ字状あるいははしご状の柱を採用する場合と比較して、特にＲ島の外周側において、遊技機Ｍが配置できない無駄な領域の発生を抑えることができる。
【００４０】
なお、図示は省略するが、隣り合う２つの遊技機島ユニット１２の横材（天板１８０、棚地板１８２など）を連続して覆うとともにこれらを連結固定する補強材（板状部材、金属部材）などを設けると、遊技機島１０の強度をさらに高めることができる。更に図示は省略するが、柱１４のそれぞれの位置を決定して遊技場床に固定した後に、遊技機島ユニット列１２Ａ、１２Ｂ間を連結する補強部材（木材や金属部材など）を設けてもよく、これにより遊技機島１０の強度を増すことができる。
【００４１】
＜幕板取付構造＞
図５を参照して、本実施形態の幕板取付構造について説明する。図５は、遊技機島ユニット１２から上部ユニット１８を抜き出して示す図であり、図５（ａ）が幕板３０を開放した状態の正面図であり、図５（ｂ）が図５（ａ）の右側面図であり、図５（ｃ）が幕板３０を閉鎖した状態の正面図であり、図５（ｄ）が図５（ｃ）の右側面図である。
【００４２】
上部ユニット１８の前面側の枠材（ここでは左右の縦材１８６の前面側）には、支持材３２がそれぞれ固定される。支持材３２は例えば、スライドレールである。スライドレール３２は少なくとも固定側部材３２Ａと移動側部材３２Ｂを含み、両者がスライド移動可能に組み合わされた部材であり、固定側部材３２Ａが縦材１８６の前面側に固定され、移動側部材３２Ｂが幕板３０の左右の端部に固定される。これにより幕板３０は、その主面（前面）が上部ユニット１８の前面に対して上下方向に平行移動（スライド移動）して開閉自在となるように縦材１８６（上部ユニット１８）に支持される。スライドレール３２は、移動経路が固定側部材３２Ａと移動側部材３２Ｂの２つの部材からなるものに限らず、固定側部材と移動側部材の間に両者に対して移動可能な中間部材が配設された３つ以上の部材からなるものであってもよい。またスライドの全長を超える距離まで移動可能なものであってもよいし、スライドの全長の一部の距離まで移動可能なものであってもよい。
【００４３】
また、スライドレール３２は、幕板３０を全開した時に、全開した状態で保持され、ラッチやレバー等を操作し解除して全閉できるものであってもよい。これにより、全開時に安全に作業を行うことができる。また、スライドレール３２は、幕板３０を移動方向（ここでは、上下方向）の複数の位置で停止可能なものであってもよく、例えば、幕板３０を全開時、全閉時、全開途中、全閉途中でロックするとともに、解除部の操作で解除可能な機構（フリップロック機構）を有するものであってもよい。これにより、操作者の身長に応じて、あるいは作業に必要な分だけ幕板３０を開放することができる。また、スライドレール３２は、幕板３０を移動方向の少なくとも一方（上方または下方に移動する際に機能する緩衝機構（ダンパー）を備えてもよく、例えば、幕板３０の閉鎖時（下方移動時）に機能するダンパーを備えることで、幕板３０を引き下げる際に手指などが幕板３０に挟まれることを防止できる。また、全閉途中から、幕板３０を最後まで押し下げなくても、自動的に全閉状態となる機構を備えてもよく、これによりダンパーと同様に安全に閉鎖することができる。また、スライドレール３２は、全開途中から、幕板３０を最後まで押し上げなくても、自動的に全開状態となる機構を備えてもよく、これにより小柄な女性等であっても容易に幕板３０を全開させることができる。なお、幕板３０の下方に、ハンドルやコードなどの把持部３０Ａを取り付けておけば、これらを把持して幕板３０を閉鎖することができる。
【００４４】
また、ここでは固定側部材３２Ａは、背面側に位置決め溝１８６Ａが設けられた縦材１８６（図２（ｂ）参照）の、前面側に固定される場合を例に説明したが、位置決め溝１８６Ａが設けられた縦材１８６とは別の縦材に固定側部材３２Ａが固定されるものであってもよい。
【００４５】
図６は、本実施形態の幕板取付構造を更に説明するための図である。図６（ａ）が比較のための、従来の幕板及び幕板取付機構を備える遊技機島（Ｒ島）１００を示す上面図であり、図６（ｂ）が本実施形態の幕板取付構造を備えた遊技機島ユニット１２で遊技機島（Ｒ島）１０を構成した場合の上面図である。またここでは、図６（ｂ）の３つの上部ユニット１８のうち中央の上部ユニット１８'は、棚地板１８４などを幕板３０より前方に突出させて、球箱Ｂを載置可能とした場合の例を示している。また、図６は、いずれも３つの遊技機の搭載領域（３つの遊技機島ユニット１１２，１２）を配列した場合を示しており、幕板１３０，３０はいずれも全開状態にあり、幕板１３０，３０の遊技機島１００、１０の長手方向における幅ｗは同じである。さらに図６（ｂ）では図６（ａ）の遊技機島１００の領域を一点鎖線で示している。
【００４６】
図６（ａ）に示すように、従来のＲ島１００では、幕板１３０を既知の蝶番１３２などによって上部枠（上部ユニットなど）１１８に固定しており、蝶番１３２の軸芯を中心として幕板１３０を上下に回動させて開閉を行っていた。この場合、特にＲ島１００の内側の曲率が大きすぎると、同図に示すように幕板１３０の全開時（または開閉途中）において、隣り合う幕板１３０同士が干渉してしまう。このため内周側の曲率は、幕板１３０が干渉しない程度に小さくする（遊技機島ユニット間の距離Ｄを図示の状態より広げる）必要があった。このため、遊技機の載置に必要な領域よりも十分に広い幅を確保しなければならず、無駄なスペースが生じてしまう問題があった。また、幕板１３０の主面がＲ島１００に沿った湾曲形状に形成されているため、湾曲形状の曲率をＲ島１００全体として変更したり、Ｒ島１００の一部分について変更する場合には、幕板１３０の形状も変更しなければならず、幕板１３０を汎用的に利用することが困難であった。
【００４７】
これに対し、同図（ｂ）に示すように本実施形態では、幕板３０は上下にスライド移動させて開閉するので、全ての幕板３０を同時に全開状態にしても、隣り合う幕板３０同士が干渉することはない。つまりＲ島１０の内周側であっても、幕板３０によってはその湾曲形状の制約を受けることがなく、同図（ａ）の場合よりも遊技機島１０の占有面積として省スペース化が図れる（一点鎖線参照）。また、幕板３０は、平面(平板)状であるため、Ｒ島を構成する場合であっても、直線状に遊技機島を配列する場合の幕板と同じ幕板を利用でき、多彩なレイアウトに対応することができる。また、湾曲した幕板１３０と比較して、部品の加工費用や加工時間、あるいは湾曲した複数の部品の組み立てにかかる時間などを削減することができる。
【００４８】
また、図６（ｂ）の中央に示すように、棚地板１８４などを前方に突出させて、球箱Ｂを載置可能としているような上部ユニット１８'の場合において、同図（ａ）に示すような回動する幕板１３０を採用した場合、前方に幕板１３０を回動すると球箱Ｂと幕板１３０が干渉してしまう。このため、球箱Ｂの高さ分、幕板１３０の下方を開放する（幕板を球箱の高さより上方に設ける）必要がある。こうすると、球箱Ｂが配置されていない状態では、遊技機島１００の背面（補給樋など）が露出する場合があり、好ましくない場合がある。しかし本実施形態では、棚地板１８４などに球箱Ｂを載置可能な構成であっても、幕板３０の開閉時に前方の球箱Ｂと幕板３０とが干渉しないため、棚地板１８４の下方まで幕板３０で覆うことができ、遊技機島の背面側の露出を避けて、装飾性を高めることができる。
【００４９】
図７は、本実施形態の幕板取付構造の他の実施形態を示す図である。図７（ａ）（ｂ）（ｄ）は上部ユニット１８の正面図であり、図７（ｃ）は上部ユニット１８の側面図であり、図７（ｅ）は上部ユニット１８の上面図である。
【００５０】
同図（ａ）に示すように、幕板３０は開放時に上方にスライド移動する構成に限らず、開放時に下方にスライド移動する構成であってもよい。
【００５１】
また同図（ｂ）に示すように、幕板３０は上下方向において複数の幕板３０２、３０４に分割されており、それぞれが上方あるいは下方にスライド移動するものであってもよい。
【００５２】
また、同図（ｃ）に示すように、幕板３０を一旦前方に引き出した後、上下方向にスライド移動可能とするものであってもよい。
【００５３】
また、同図（ｄ）に示すように、幕板３０は左右方向において複数の幕板３０２、３０４に分割されており、引き戸式に横方向に平行移動（スライド移動）するものであってもよい。この場合、支持材（スライドレール）３２は、上枠部の上または下の横材（例えば、天板１８０の前面側）に取り付けられる。
【００５４】
また、同図（ｅ）に示すように、幕板３０'は、前面側が上面視において湾曲していてもよい。幕板３０'は上部ユニット１８との対向面ＯＳ（または左端部と右端部を結ぶ平面）が、上部ユニット１８の前面側と平行であれば、幕板３０'の左右端部をスライドレール３２で保持することができ、上下方向にスライド移動可能とすることができる。
【００５５】
以上説明したように、本実施形態に係る幕板取付構造は、遊技機を載置する遊技機島の上部枠（例えば、上部ユニット１８の枠部）に幕板（例えば、幕板３０）を取り付ける幕板取付構造であって、前記上部枠の前面側の枠材（例えば、縦材１８６）に、前記幕板を平行移動させて開閉自在に支持する支持材（例えば、スライドレール３２）を取り付けることを特徴とする、幕板取付構造である。
【００５６】
本実施形態に係る幕板取付構造によれば、幕板の開閉操作を行う操作者（遊技店の店員）が小柄な女性等であっても、幕板を平行にスライド移動させて開閉できるので、蝶番の軸芯を中心とした幕板の回動動作による開閉と比較して幕板の開閉操作が容易となる。また、幕板の回動動作による開閉と異なり、幕板の移動による他の部材との干渉を防止できる。例えば、幕板の前方に球箱を配置可能な上部ユニットでは、幕板の回動動作において幕板と球箱が干渉する場合があるので、球箱の高さ分、幕板の下方を開放する（幕板を球箱の高さより上方に設ける）必要はなく、幕板によって上部ユニットの内部を十分に覆い隠すことができる。
【００５７】
また、前記支持材（例えば、スライドレール３２）は前記上部枠の左右端の縦材（例えば、縦材１８６）に取り付けられ、前記幕板を上下方向にスライド移動可能であるものとしてもよい。
【００５８】
このような構成によれば、幕板を小さい力で例えば上方および下方にスライド移動させて開放・閉鎖ができるので、幕板の開閉操作が容易となる。また、蝶番の軸芯を中心とした幕板の回動動作による開閉と異なり、幕板の移動による他の部材（例えば、幕板前面に設けた球箱など）との干渉を防止できる。
【００５９】
また、前記支持材（例えば、スライドレール３２）は、前記幕板を移動方向の複数の位置で停止可能であるものとしてもよい。
【００６０】
このような構成によれば、必要な分だけ幕板を開放することができるので、店員（作業者）の身長に応じて開放量を調整することができる。また、全開する必要がない場合には、開放量を最小限にとどめることができる。
【００６１】
また、前記支持材（例えば、スライドレール３２）は、前記幕板を移動方向の少なくとも一方に移動する際に機能する緩衝機構を備えるものとしてもよい。
【００６２】
このような構成によれば、開閉動作時に操作者が手指を挟むなどの危険を回避でき、安全な開閉動作が可能となる。
【００６３】
また、前記幕板は、少なくとも前記上部枠との対向面が前記遊技機島の長手方向において平面状であるものとしてもよい。また、前記上部枠の横材は、前記遊技機島の長手方向において直線状または平面状であるものとしてもよい。また、前記遊技機島は、長手方向において湾曲または屈曲するように配列されるものとしてもよい。
【００６４】
このような構成とすることにより、Ｒ島を構成する場合であっても、直線状に配置される遊技機島に用いる幕板と同じ幕板を利用でき、湾曲した幕板を用いる場合と比較して、部品の加工費用や加工時間、あるいは湾曲した複数の部品の組み立てにかかる時間などを削減することができる。またＲ島の湾曲の曲率を変更する場合であっても、新たな曲率の幕板を加工し直す必要がなくなる。また、蝶番の軸芯を中心とした回動動作で開閉する幕板と異なり、Ｒ島の内周側において、隣り合う幕板の干渉を考慮する必要がなくなる。このため、幕板の干渉を回避できる程度に遊技機島の内周側の曲率を小さくする（隣接する遊技機島ユニット間の間隔を広げる）必要がなく、遊技機が配置できない無駄なスペースの発生を回避するとともに、多様なレイアウトに対応することができる。
【００６５】
以上、上述の実施形態では、複数の遊技機島ユニット１２でＲ島を構成する場合を例に説明したが、上面視において直線状の遊技機島や、階段状に曲折した遊技機島を構成してもよい。
【００６６】
また、上述の実施形態では、柱１４の構造が個々に独立した棒状である場合を例に説明したが、中島の第１列側と第２列側の柱が互いに連結部材によって連結され、遊技機島の短手方向においてＨ字状あるいははしご状に構成された柱を用いてもよい。
【００６７】
また、本発明の実施形態に記載された作用および効果は、本発明から生じる最も好適な作用および効果を列挙したに過ぎず、本発明による作用および効果は、本発明の実施形態に記載されたものに限定されるものではない。また、本発明の実施形態に記載した複数の構成のうち、１つの構成に記載している内容を、他の構成に適用することで、より一層、効果を高めることができる場合がある。
【産業上の利用可能性】
【００６８】
本発明に係る幕板取付構造およびそれを備える遊技機島は、パチンコ機又はスロットマシン、又は封入式遊技機などを遊技場に載置する遊技機島に適用することができる。
【符号の説明】
【００６９】
１０  遊技機島
１２  遊技機島ユニット
１４  柱
１６  蝶番
１８  上部ユニット
２０  下部ユニット
３０  幕板
３２  支持材
【図１】
2015047190.tif 000003
【図２】
2015047190.tif 000004
【図３】
2015047190.tif 000005
【図４】
2015047190.tif 000006
【図５】
2015047190.tif 000007
【図６】
2015047190.tif 000008
【図７】
2015047190.tif 000009